(57)【要約】【課題】  書籍をパッケージしても、その書籍の内容を一部分でも確認可能に構成し、また、書籍の識別情報を簡単に入力できると共に、表示内容を見易くする。【解決手段】  本発明の書籍参照システム１は、参照のための書籍参照データを記憶するサーバ２と、書籍の識別情報を読み取って前記サーバ２に送信し、該当する書籍参照データを前記サーバ２から受信して表示する携帯端末３とを備え、前記携帯端末３は、客に貸し出すために前記書店に数台から数十台以上用意されていると共に、前記客は、前記情報端末３を借りて、該情報端末３により書籍の識別情報を読み取り、前記情報端末３と前記本屋のサーバ２との間で通信し、書籍の書籍参照データを前記情報端末３に表示することにより、書籍の内容の一部を読むことが可能なように構成したものである。【選択図】  図１
2005122608.tif 000002
【特許請求の範囲】
【請求項１】
書籍の内容の少なくとも一部を参照する書籍参照システムにおいて、
参照のための書籍参照データを記憶するサーバと、
書籍の識別情報を読み取って前記サーバに送信し、該当する書籍参照データを前記サーバから受信して表示する携帯端末とを備え、
前記携帯端末は、客に貸し出すために前記書店に数台から数十台以上用意されていると共に、
前記客は、前記情報端末を借りて、該情報端末により書籍の識別情報を読み取り、前記情報端末と前記書店のサーバとの間で通信し、書籍の書籍参照データを前記情報端末に表示することにより、書籍の内容の一部を読むことが可能なように構成したことを特徴とする書籍参照システム。
【請求項２】
前記情報端末は、前記客が読み込んだ履歴情報を記憶する記憶手段を備え、
特定の第３者が前記書店のサーバを介して前記情報端末の記憶手段に記憶されている履歴情報を取得することが可能なように構成されていることを特徴とする請求項１記載の書籍参照システム。
【請求項３】
前記書籍の識別情報は、前記書籍に印刷されたＩＳＢＮコードで構成されていることを特徴とする請求項１または２記載の書籍参照システム。
【請求項４】
前記書籍の識別情報は、前記書籍に添付されたＲＦタグに書き込まれていることを特徴とする請求項１または２記載の書籍参照システム。
【請求項５】
前記情報端末は、表示素子と受光素子を２次元配列して形成され、画像や文字等を表示する表示手段としての機能と、画像や文字等を入力する入力手段としての機能とを有するインプットディスプレイと、
前記入力した画像や文字等のデータの中から前記書籍の識別情報を読み取る読取手段と、
前記読み取った前記書籍の識別情報を含む情報を前記サーバに送信する無線送信手段と、
前記サーバから前記送信した前記書籍の識別情報に対応する書籍参照データを受信する無線受信手段と、
前記受信した書籍参照データを前記インプットディスプレイに表示させる表示制御手段とを備えていることを特徴とする請求項１ないし３のいずれかに記載の書籍参照システム。
【請求項６】
前記書籍の識別情報は、バーコードで構成されており、
前記情報端末は、バーコードを読み取るバーコード読取手段と、
前記読み取った前記書籍の識別情報を含む情報を前記サーバに送信する無線送信手段と、
前記サーバから前記送信した前記書籍の識別情報に対応する書籍参照データを受信する無線受信手段と、
前記受信した書籍参照データを表示する表示手段とを備えていることを特徴とする請求項１ないし３のいずれかに記載の書籍参照システム。
【発明の詳細な説明】
【技術分野】
【０００１】
本発明は、書店等において、客が書籍の内容を確認したいときに役に立つ書籍参照システムに関する。
【背景技術】
【０００２】
本には、ＩＳＢＮコードと呼ばれる書籍コード（識別情報）が付与されており、このコードによって本（書籍）を特定することができる。書店においては、上記書籍コードを売れた本の管理や、本の補充等に利用していた。尚、上記書籍コードに関連する技術として、下記の特許文献１が知られている。
【特許文献１】実開平６−３３２４１号公報
【発明の開示】
【発明が解決しようとする課題】
【０００３】
書店においては、本や雑誌等の書籍が購入されずに、立ち読みされるだけのことが多く、書籍が汚れたり、破れたりするという被害が多々発生している。
これに対して、過去においては、立ち読み防止のために本等をパッケージするようにした書店もあった。しかし、パッケージされた本等は、客がその本等の内容を見ることができないために、本等の売れ行きが悪くなったという問題が発生した。このため、一般的な書店においては、書籍をパッケージする対策は、一部（コミック等の漫画本）を除いてほとんど実行されていない。
【０００４】
そこで、本発明者は、書籍をパッケージしても、その書籍の内容を一部分でも確認可能な方法を考えてみた。現在、書籍の書籍コード（ＩＳＢＮコード）と、書籍の内容を紹介する書籍参照データとを対応させて記憶するサーバが既に設置されており、このサーバにインターネット等を介してアクセスすることにより、サーバから書籍コードに対応する書籍参照データを受信して表示するように構成したシステムが立ち上がりつつある。本発明者は、このシステムに着目して、次のような書籍参照システムを考えた。
【０００５】
即ち、上記サーバを、客が所持する携帯電話から電話回線及びインターネット等を介してアクセス可能なように構成し、客が本の内容を知りたいときには、携帯電話によって、その本の書籍コードを入力して上記サーバへ送信すると共に、上記サーバから書籍コードに対応する書籍参照データを受信し、その受信した情報を携帯電話の表示器に表示するように構成したシステムである。
【０００６】
しかし、上記システムの場合、携帯電話の操作キーを操作して書籍コードを入力する手間がかなり面倒であるという不具合があった。また、携帯電話の表示器の表示画面が小さいため、表示された書籍参照データを読み難いという問題点もあった。更に、携帯電話の電話回線を使用しているので、料金がかかることから、客が使用しないおそれもあった。
本発明の目的は、書籍をパッケージしても、その書籍の内容を一部分でも確認可能に構成し、また、書籍コードを簡単に入力することができると共に、表示内容を見易くすることができる等の効果が得られる書籍参照システムを提供するにある。
【課題を解決するための手段】
【０００７】
本発明の書籍参照システムは、書籍の内容の少なくとも一部を参照するシステムにおいて、参照のための書籍参照データを記憶するサーバと、書籍の識別情報を読み取って前記サーバに送信し、該当する書籍参照データを前記サーバから受信して表示する携帯端末とを備え、前記携帯端末は、客に貸し出すために前記書店に数台から数十台以上用意されていると共に、前記客は、前記情報端末を借りて、該情報端末により書籍の識別情報を読み取り、前記情報端末と前記書店のサーバとの間で通信し、書籍の書籍参照データを前記情報端末に表示することにより、書籍の内容の一部を読むことが可能なように構成したところに特徴を有する。
【０００８】
上記書籍参照システムの場合、客は、書籍がパッケージされていても、書店から借りた携帯端末によって、上記書籍の識別情報を読み取ることができる。従って、書籍の識別情報を簡単に入力することができる。そして、上記携帯端末によれば、読み取った書籍の識別情報を含む情報をサーバに送信すると共に、サーバからその書籍の識別情報に対応する書籍参照データを受信し、更に、受信した書籍参照データを表示させることができる。これにより、パッケージされた書籍の内容紹介等を確認可能となり、また、携帯端末の表示画面を適度な大きさに設定すれば、表示内容を見易くすることができる。更に、客は、書店から携帯端末を借りるだけであるから、携帯端末を使用しても料金がかからない。
【０００９】
また、上記構成の場合、前記情報端末は、前記客が読み込んだ履歴情報を記憶する記憶手段を備え、特定の第３者が前記書店のサーバを介して前記情報端末の記憶手段に記憶されている履歴情報を取得することが可能なように構成することが好ましい。更に、前記書籍の識別情報は、前記書籍に印刷されたＩＳＢＮコードで構成されていることが良い構成である。更にまた、前記書籍の識別情報は、前記書籍に添付されたＲＦタグに書き込まれていることがより一層好ましい。
【００１０】
また、前記情報端末は、表示素子と受光素子を２次元配列して形成され、画像や文字等を表示する表示手段としての機能と、画像や文字等を入力する入力手段としての機能とを有するインプットディスプレイと、前記入力した画像や文字等のデータの中から前記書籍の識別情報を読み取る読取手段と、前記読み取った前記書籍の識別情報を含む情報を前記サーバに送信する無線送信手段と、前記サーバから前記送信した前記書籍の識別情報に対応する書籍参照データを受信する無線受信手段と、前記受信した書籍参照データを前記インプットディスプレイに表示させる表示制御手段とを備えている構成が好ましい。
【００１１】
更にまた、前記書籍の識別情報をバーコードで構成し、前記情報端末は、バーコードを読み取るバーコード読取手段と、前記読み取った前記書籍の識別情報を含む情報を前記サーバに送信する無線送信手段と、前記サーバから前記送信した前記書籍の識別情報に対応する書籍参照データを受信する無線受信手段と、前記受信した書籍参照データを表示する表示手段とを備えている構成がより一層好ましい。
【発明を実施するための最良の形態】
【００１２】
以下、本発明の一実施例について、図面を参照しながら説明する。まず、図１は、本実施例の書籍参照システム１の全体構成を概略的に示すブロック図である。この図１に示すように、書籍参照システム１は、書店に配置されたパソコン２と、このパソコン２と無線ＬＡＮで接続された複数の携帯端末３と、上記パソコン２と例えばインターネットや電話網等の通信網４を介して接続された出版社のパソコン５とから構成されている。
【００１３】
上記書店のパソコン２には、書籍の識別情報（例えばＩＳＢＮコード）と、書籍の内容を紹介する書籍参照データとを対応させて記憶しており、本発明のサーバを構成している。即ち、パソコン２には、多数の書籍の識別情報（書籍コードと呼んでも良い）と、書籍の内容を紹介する書籍参照データとを対応させたデータベースが設けられており、書籍の識別情報を指定することにより、その識別情報に対応する書籍参照データを検索して読み出すことが可能なように構成されている。
【００１４】
尚、上記書籍参照データとしては、その書籍の内容のあらすじのデータや、書籍の目次のデータや、書籍の抜粋のデータや、書籍の内容紹介のデータや、書籍の要約のデータ等が用意されており、予めパソコン２内のデータベースに記憶されている。また、この書籍の識別情報と書籍参照データを対応させたデータベースは、書籍の情報全般を管理するセンターに配置されたサーバ（いずれも図示しない）から、通信網４（インターネット等）を介してパソコン２にダウンロードすることが可能なように構成されている。
【００１５】
また、携帯端末３は、書店に来店したお客に貸し出されるものであり、複数人のお客に貸し出し可能なように、書店に複数台、数台から数十台以上用意されている。上記携帯端末３は、図２に示すように、端末本体６と、この端末本体６の上面部に設けられたインプットディスプレイ７と、端末本体６の上面部の図２中の下端部に設けられた複数の操作スイッチ８とを備えて構成されている。
【００１６】
上記インプットディスプレイ７は、表示素子と受光素子を２次元配列して形成されており、画像や文字等を表示する表示手段としての機能と、画像や文字等を入力する入力手段としての機能とを有している。即ち、インプットディスプレイ７は、ディスプレイとしての機能と、スキャナーとしての機能とを有している。
このインプットディスプレイ７のディスプレイ（具体的には、液晶ディスプレイ）自体は、例えば３．５インチで３２０＊２４０ドット表示可能な低温ポリシリコンＴＦＴで構成されており、液晶画素の中に２次元光学センサー素子を埋め込むことにより、例えばモノクロ６４階調で最大９６０＊２４０ピクセルの画像として取り込むことができるように構成されている。上記インプットディスプレイ７は、その液晶画面に写真や文書等の対象物を当てるだけで対象物の画像を取り込むことができるように構成されている。
【００１７】
複数の操作スイッチ８は、読取開始スイッチ８ａと、右スクロールスイッチ８ｂと、左スクロールスイッチ８ｃとから構成されている。尚、上記インプットディスプレイ７は、通常のタッチパネルとしての機能も有している。
また、端末本体６の内部には、ＣＰＵ、メモリ及び各種の電気部品が実装されたプリント配線基板（いずれも図示しない）が配設されており、この電気的構成により、記憶手段、読取手段、無線送信手段、無線受信手段、表示制御手段としての各機能が実現されている。ここで、無線送信手段及び無線受信手段は、端末本体６とパソコン２とを無線接続する無線ＬＡＮで構成されている。
【００１８】
また、出版社に配置されたパソコン５は、通信網４を介して書店のパソコン２にアクセスすることが可能なように構成されている。そして、各情報端末３の記憶手段に記憶されている履歴情報（書籍参照データを受信して表示したときの履歴情報）は、客が携帯端末３を書店に返却したときに、書店のパソコン２に記憶（登録）されるように構成されている。これにより、上記出版社のパソコン５は、書店のパソコン２に記憶されている履歴情報を取得することが可能な構成となっている。
【００１９】
尚、上記パソコン５による書店のパソコン２へのアクセスは、書店（のパソコン２）によって許可または拒否されるように構成されている。この場合、上記出版社のパソコン５が、書店により許可された特定の第３者を構成している。この特定の第３者は、複数あっても良く、即ち、複数の出版社の各パソコンでも良いし、出版社以外の複数の会社の各パソコンでも良い。
【００２０】
次に、上記した構成の書籍参照システム１の動作について、図３の作業フローチャートも参照して説明する。
書店においては、店内に展示する書籍のパッケージを完了しておく（図３のステップＳ１０１）。さて、書店に入った客（ステップＳ１）は、携帯端末３を借りてから（ステップＳ２、ステップＳ１０２）、読みたい書籍または購入したい書籍があるところへ行き、その書籍（パッケージされているもの）９を手に取り、書籍の識別情報（書籍コード）が印刷されている部分（例えば書籍の裏表紙）を携帯端末３のインプットディスプレイ７の画面に当てると共に、読取開始スイッチ８ａを操作する（ステップＳ３）。すると、端末本体６のインプットディスプレイ７により、書籍９の識別情報が印刷されている部分の画像が取り込まれる。
【００２１】
続いて、端末本体６においては、上記取り込んだ画像（や文字等）のデータの中から書籍の識別情報、即ち、ＩＳＢＮコード（書籍コード）を読み取る（読取手段の機能）。このとき、バーコードでの読み取りが可能であるか否か（即ち、上記画像データの中にバーコードの絵柄が含まれているか否か）を判定するように構成されている（判定手段の機能）。この場合、書籍コードが文字と共にバーコードで表現されているときには、携帯端末３の判定手段により、バーコードでの読み取りが可能であると判定される。
【００２２】
すると、携帯端末３においては、バーコード読取手段の機能が動作されることにより、上記バーコードが読み取られ、デコード処理が実行されることにより、ＩＳＢＮコードが取得されるように構成されている。
一方、バーコードでの読み取りが可能でないと判定されたときには、携帯端末３の文字読取手段が動作されることにより、上記ＩＳＢＮコード（書籍コード）を表現する文字等が読み取られ、文字認識処理が実行されることにより、ＩＳＢＮコードが取得されるように構成されている。
【００２３】
そして、上記読み取られたＩＳＢＮコード（書籍の識別情報）は、携帯端末３から無線ＬＡＮ（無線送信手段）を介して書店のパソコン２へ送信されるように構成されている。上記パソコン２においては、送信されてきたＩＳＢＮコード（書籍の識別情報）に対応する書籍参照データを検索して読み出し、この読み出した書籍参照データを無線ＬＡＮを介して携帯端末３へ送信するように構成されている。
【００２４】
続いて、携帯端末３は、書店のパソコン２から送信されてきた書籍参照データを受信すると共に、この受信した書籍参照データをインプットディスプレイ７の画面に表示するように構成されている。この結果、客は、携帯端末３のインプットディスプレイ７の表示画面を見ることにより、書籍の内容に一部を読むことが可能になる（ステップＳ４）。
ここで、客は、携帯端末３のスクロールスイッチ８ｂ、８ｃを適宜操作することにより、インプットディスプレイ７の画面に表示されている表示内容を右方（進み方向）または左方（戻し方向）へスクロールさせることが可能なように構成されている。これにより、インプットディスプレイ７の画面に一度に表示することができない書籍参照データがあった場合、その書籍参照データを容易且つ確実に表示させることができ、客は書籍参照データを読むことができる。
【００２５】
この後、客は、所望の書籍の書籍参照データを携帯端末３に表示させる処理を終了するときに（即ち、書籍の購入を完了して（または、書籍を購入せずに）書店を出る前に）、携帯端末３を書店に返却する（ステップＳ５）。そして、書店の店員は、携帯端末３が返却されたら（ステップＳ１０３）、その携帯端末３に記憶されている履歴情報、具体的には、客が書籍参照データを表示させた書籍の表示履歴の情報（換言すると、携帯端末３により読み取った書籍の読取履歴の情報、即ち、書籍読取情報）を、パソコン２内に登録する操作を実行する（ステップＳ１０４）。これにより、書店のパソコン２内には、携帯端末３を借りて使用した客が読み取った書籍の履歴情報が蓄積されていく。
【００２６】
そして、客は、上記携帯端末３を返却したら、書店を出る（ステップＳ６）。
一方、出版社が上記書店のパソコン２に登録（蓄積）されている履歴情報、即ち、客が読み取った書籍の履歴情報を取得したいときには、パソコン５によって通信網４を介して書店のパソコン２にアクセスする。これにより、パソコン５により書店のパソコン２に登録されている履歴情報を読み出して取得することができる（ステップＳ２０１）。そして、出版社のパソコン５においては、上記取得した履歴情報を用いて種々の分析を実行することができる（ステップＳ２０２）。
【００２７】
このような構成の本実施例においては、書籍の識別情報と、書籍の内容を紹介する書籍参照データとを対応させて記憶するパソコン２を備え、そして、書籍の識別情報を入力してパソコン２へ送信すると共に、パソコン２から書籍の識別情報に対応する書籍参照データを受信して表示する携帯端末３を備え、更に、上記携帯端末３を、客に貸し出すために本屋に数台から数十台以上用意し、そして、客は、前記情報端末３を借りて、該情報端末３により書籍の識別情報を読み取り、情報端末３と書店のパソコン２との間で通信し、書籍の書籍参照データを前記情報端末３に表示することにより、書籍の内容の一部を読むことが可能なように構成した。
【００２８】
この構成によれば、書籍９がパッケージされていても、携帯端末３によって、上記書籍９の識別情報（ＩＳＢＮコード）を読み取ることができる。従って、書籍の識別情報を簡単に入力することができる。そして、上記携帯端末３によれば、読み取った書籍の識別情報を含む情報を書店のパソコン２に送信すると共に、パソコン２から送信した書籍の識別情報に対応する書籍参照データを受信し、更に、受信した書籍参照データをインプットディスプレイ７に表示させることができる。これにより、客は、パッケージされた書籍９の内容紹介を確認することが可能となる。また、インプットディスプレイ７の表示画面を適度な大きさに構成すれば、表示内容を見易くすることができる。更に、客は、書店から携帯端末３を借りるだけであるから、携帯端末３を使用しても料金がかからず、安心して携帯端末３を使用することができる。
【００２９】
また、上記実施例においては、情報端末３によって、客が読み込んだ書籍の履歴情報を記憶するように構成し、更に、これら履歴情報を書店のパソコン２に記憶するように構成し、出版社（特定の第３者）のパソコン５によって通信網４を介して書店のパソコン２２にアクセスし、パソコン２に記憶されている履歴情報を取得可能なように構成した。この構成の場合、出版社は、たくさんの客の履歴情報を取得して分析することができるから、上記履歴情報を有効に役立てることができる。また、上記実施例では、書籍の識別情報として、前記書籍に印刷されたＩＳＢＮコードを用いるように構成したので、汎用性が高くなるという効果を得ることができる。
【００３０】
更に、上記実施例においては、携帯端末３にインプットディスプレイ７を設けたので、表示手段と、書籍の識別情報の読取手段とを兼用することができ、コンパクトな構成となる。更にまた、上記実施例では、携帯端末３とパソコン２との間を無線ＬＡＮで接続するように構成、即ち、携帯端末３の無線送信手段及び無線受信手段を無線ＬＡＮで構成したので、電話料金等がかからなくなり、客が安心して使用するようになる。
【００３１】
また、上記実施例によれば、携帯端末３のインプットディスプレイ７に表示させている表示内容をスクロールスイッチ８ｂ、８ｃを操作することによりスクロール可能なように構成したので、受信した書籍参照データを見易くなる。
尚、上記実施例においては、スクロールスイッチを２個設けたが、４個（上、下、左、右）設けるように構成しても良い。
【００３２】
また、上記実施例では、携帯端末３にインプットディスプレイ７を設けたが、これに代えて、表示専用のディスプレイと、書籍の識別情報、即ち、ＩＳＢＮコード（バーコード）を読み取るバーコードリーダとを設けるように構成しても良い。
更に、上記実施例においては、書籍の識別情報として、書籍に印刷されたＩＳＢＮコードを用いるように構成したが、これに限られるものではなく、例えば書籍に添付したＲＦタグに上記書籍の識別情報を書き込むように構成しても良い。この構成の場合には、携帯端末にＲＦタグリーダの機能を付加するように構成すれば良い。
【図面の簡単な説明】
【００３３】
【図１】書籍参照システムのブロック図
【図２】携帯端末の上面図
【図３】作業フローチャート
【符号の説明】
【００３４】
図面中、１は書籍参照システム、２はパソコン（サーバ）、３は携帯端末、４は通信網、５はパソコン、６は端末本体、７はインプットディスプレイ（表示手段、入力手段）、８は操作スイッチ、９は書籍を示す。
【図１】
2005122608.tif 000003
【図２】
2005122608.tif 000004
【図３】
2005122608.tif 000005